(57)【特許請求の範囲】
【請求項１】
昇降路内に設けられたかご用レールに沿って垂直方向に移動するかご室と、
かご用レールの最上部に取り付けられるとともに、昇降するかご室の側面と昇降路壁との間に位置する巻き上げ機と、
かご室の背面側に設置され、カウンタウェイト用レールにより保持されるとともに巻き上げ機にロープを介して連結されたカウンタウェイトと、
巻き上げ機とカウンタウェイトとの間に設けられ、かご室の側面側であって巻き上げ機側に位置する側面ソラセシーブ、およびカウンタウェイト側に位置する背面ソラセシーブとを備え、側面ソラセシーブおよび背面ソラセシーブに前記ロープを掛け渡しており、
背面ソラセシーブの外形は巻き上げ機の外形よりも小さいことを特徴とするエレベータ。
【請求項２】
かご室の下部にかご下シーブが取り付けられており、
巻き上げ機が、かご下シーブを介してロープにより、かご室に取り付けられたかご側ヒッチに連結されていることを特徴とする請求項１記載のエレベータ。
【請求項３】
側面ソラセシーブは、巻き上げ機側のかご用レールと巻き上げ機側のカウンタウェイト用レールを繋ぐビームに取り付けられ、かつ最上階フロアレベルより上の位置に設置されることを特徴とする請求項１記載のエレベータ。
【請求項４】
側面ソラセシーブは、水平方向に並んで複数設けられていることを特徴とする請求項１記載のエレベータ。
【請求項５】
側面ソラセシーブは、鉛直方向に対して傾斜して複数設けられていることを特徴とする請求項１記載のエレベータ。
【請求項６】
カウンタウェイトは、複数のカウンタウェイトシーブを有し、これらのカウンタウェイトシーブに背面ソラセシーブとカウンタウェイト用レールとの間に連結されたロープを掛け渡したことを特徴とする請求項１記載のエレベータ。
【発明の詳細な説明】
【０００１】
【発明の属する技術分野】
本発明は昇降路内にかご室と巻き上げ機とカウンタウェイトとを有するエレベータに関する。
【０００２】
【従来の技術】
図５は特開平7-10434号公報に開示された巻き上げ機を有するエレベータを示す図であり、図６は特開平9-156855号公報に開示された巻き上げ機を有するエレベータを示す図であり、図７は特開平7-10437号公報に開示された巻き上げ機を有するエレベータを示す図である。
図５に示す例においては、エレベータは昇降路内に設けられたかご室４と、巻き上げ機１と、カウンタウェイト３から構成されている。このうち巻き上げ機１、およびカウンタウェイト３はかご室４の側面側に配置されるとともに、巻き上げ機１はカウンタウェイト用レール１１の上方に配置されている。またかご室４はカードア３２を有し、かご用レール２に沿って垂直方向に移動するようになっている。さらに巻き上げ機１にはメインシーブ１３が設けられ、さらに巻き上げ機１には制御盤３１が設置されている。カウンタウェイト３はカウンタウェイト用レール１１に沿って垂直方向に移動するようになっている。また、かご室４と巻き上げ機１とカウンタウェイト３はロープにより固定部材３３から３４へ連結され、さらにこのロープはかご室４に取り付けられたかご下シーブ１０と、巻き上げ機１に取り付けられたメインシーブ１３と、カウンタウェイト３に取り付けられたカウンタウェイトシーブ８とに掛け渡されている。
図６に示す例においては、エレベータは昇降路内に設けられたかご室４と、巻き上げ機１と、カウンタウェイト３の他に、梁３５と、ロープ３０と、カウンタウェイト用レール１１と、カウンタウェイトシーブ８と、かご下シーブ１０ａ、１０ｂとから構成される。図６に示すエレベータは、図５に示された例と比べて、巻き上げ機１とカウンタウェイト３とがかご室４の背面側に配置された点が異なるのみで、他の構成は図５に示された例と略同一である。
図７に示す例においては、エレベータは昇降路内に設けられたかご室４と、巻き上げ機１と、カウンタウェイト３の他に、ロープ３０と、転向プーリ３７、３８と、メインシーブ１３と、関連装置３６と案内レール１０、１１と、案内レール装置３９と、背面ソラセシーブ７とから構成される。図７に示すエレベータは図５または図６に示された例と比べて、巻き上げ機１を案内レール１０の下方のピットに配置し、巻き上げ機１の外形に比べて小さい外形の背面ソラセシーブ７が案内レール１０の頂上部に配置された点が異なるのみで、他の構成は図５に示された例と略同一である。
【０００３】
【発明が解決しようとする課題】
ところで図５、図６に示される例のような従来のエレベータにおいては、巻き上げ機１とカウンタウェイト３がかご室の側面側又は背面側の同一平面内に配置されているので、カウンタウェイト３がカウンタウェイト用レール１１の最上部に位置した時に巻き上げ機１下面とカウンタウェイト３上面が干渉しないよう、例えばカウンタウェイト３の高さを制限する必要がある。このようにカウンタウェイト３の高さを制限すると、かご室４の自重が大きい場合、制限された高さのカウンタウェイト３に必要重量のウェイトを全て積み込むことができず、カウンタウェイト３がかご室４の自重に十分に対応できないという問題がある。
また図７に示される例のような従来のエレベータにおいては、巻き上げ機１をカウンタウェイト用レール１１の下方のピットに配置し、巻き上げ機１の外形に比べてかなり小さい外形の背面ソラセシーブ７をカウンタウェイト用レール１１の頂上部に配置するため、図５および図６に示されるエレベータに比べてカウンタウェイト３のウェイト量を増やすことができる。
しかしながら、巻き上げ機１をカウンタウェイト用レール１１の下方のピットに配置する構造ではエレベータが浸水した場合の冠水対策が必要となるほか、図５および図６に示される例のような従来のエレベータと比較してロープ３０の長さが長くなるため、ロープ自体およびロープ振れ止め機構の追加による経済性の低下、が問題となる。
【０００４】
本発明はこのような点を考慮してなされたものであり、必要重量のカウンタウェイトを巻き上げ機とカウンタウェイトが互いに干渉することがないように積み込むことを可能とし、かつロープの長さが長くならないようなエレベータを提供することを目的とする。
【０００５】
【課題を解決するための手段】
本発明は、昇降路内に設けられたかご用レールに沿って垂直方向に移動するかご室と、かご用レールの最上部に取り付けられるとともに、昇降するかご室と昇降路壁との間に位置する巻き上げ機と、かご室の背面側に設置され、カウンタウェイト用レールにより保持されるとともに巻き上げ機にロープを介して連結されたカウンタウェイトと、巻き上げ機とカウンタウェイトとの間に設けられ、かご室の側面側であって巻き上げ機側に位置する側面ソラセシーブ、およびカウンタウェイト側に位置する背面ソラセシーブとを備え、側面ソラセシーブおよび背面ソラセシーブに前記ロープを掛け渡したことを特徴とするエレベータである。
【０００６】
本発明によれば、カウンタウェイトがカウンタウェイト用レールの最上部まで上昇した場合でも、巻き上げ機とカウンタウェイトが同一平面内に存在しないので、巻き上げ機とカウンタウェイトが干渉し合うことはない。またかご用レールの最上部に取り付けられた巻き上げ機とカウンタウェイト用レールの最上部に位置するカウンタウェイトとの距離を短くすることができ、巻き上げ機とカウンタウェイトとを連結するロープの長さを長くする必要はない。
【０００７】
【発明の実施の形態】
第１の実施の形態
以下、図面を参照して本発明の実施の形態について説明する。
図１は本発明の第１の実施の形態を示す図である。ここで図１はエレベータの構成図である。
図１においてエレベータは、昇降路４０内に設けられたかご用レール２により側面を保持され、垂直方向に移動するかご室４と、かご用レール２の最上部であって昇降するかご室４の側面と昇降路壁４０ａとの間に設置された巻き上げ機１と、かご室４の背面側に設置され、カウンタウェイト用レール１１により保持されたカウンタウェイト３とを備えている。かご室４は図示左下方側がかごドアを有する前面である。
またかご用レール２とカウンタウェイト用レール１１を繋ぐビーム１２に側面ソラセシーブ６が取り付けられ、この側面ソラセシーブ６はかご室４の巻き上げ機１側の側面側であって最上階フロアーレベルより上方に配置されている。さらにカウンタウェイト用レール１１の最上部に設けられたカウンタウェイト側ヒッチ５に背面ソラセシーブ７が取り付けられ、この背面ソラセシーブ７は巻き上げ機１の外形より小さい外形を有するとともに、かご室４の背面側に設けられている。また巻き上げ機１は、メインシーブ１３を有するとともに、側面ソラセシーブ６と、背面ソラセシーブ７と、カウンタウェイト３に備えられたカウンタウェイトシーブ８とを介してロープ３０によりカウンタウェイト側ヒッチ５に連結されている。さらに、巻き上げ機１は、かご室４の下部に取り付けられたかご下シーブ１０ａ、１０ｂを介してロープ３０によりかご室４の巻き上げ機１側と反対の側面側に取り付けられたかご側ヒッチ９に連結されている。
【０００８】
次にこのような構成からなる本実施の形態の作用について説明する。
【０００９】
まず巻き上げ機１が作動してロープ３０を介してかご室４が降下するとともに、カウンタウェイト３が上昇する。その後、カウンタウェイト３がカウンタウェイト用レール１１の最上部に位置する。この場合、巻き上げ機１とカウンタウェイト３は各々かご室４の側面側および背面側に配置されており、このため同一平面内に配置されていないので、巻き上げ機１とカウンタウェイト３が干渉し合うことはない。またカウンタウェイト３と同一平面内に配置された背面ソラセシーブ７は巻き上げ機１よりも外形が小さいので、巻き上げ機１がカウンタウェイト３と同一平面内に配置された場合に比べてカウンタウェイト３の高さを高くしても背面ソラセシーブ７とカウンタウェイト３が干渉し合うことはない。さらにカウンタウェイト用レール１１の最上部にカウンタウェイト３が位置した場合、カウンタウェイト３と巻き上げ機１との距離が近くなるので、巻き上げ機１をカウンタウェイト用レール１１の下方のピットに配置した場合よりもロープ３０の長さを短くすることができる。
【００１０】
以上説明したように本実施の形態によれば、カウンタウェイト３の高さを高くした場合でも巻き上げ機１とカウンタウェイト３が干渉し合うことはなく、ロープ３０の長さも短くすることができる。またカウンタウェイト３と同一平面内に設けられた背面ソラセシーブ７とカウンタウェイト３の互いに干渉し合うことはない。
【００１１】
第２の実施の形態
次に図２により本発明の第２の実施の形態について説明する。ここで図２はエレベータの構成図である。
図２に示す第２の実施の形態は、２つの側面ソラセシーブ６ａ、６ｂをビーム１２ａに水平方向に並んで取り付けたものであり、他は図１に示す第１の実施の形態と略同一である。図２において、図１に示す第１の実施の形態と同一部分には同一符号を付して詳細な説明は省略する。
図２において巻き上げ機１は、ロープ３０により２つの側面ソラセシーブ６ａおよび６ｂと、背面ソラセシーブ７と、カウンタウェイト３側のカウンタウェイトシーブ８とを介してカウンタウェイト側ヒッチ５に連結されている。
【００１２】
図２において、かご室４のサイズが奥行方向に拡大した場合、２つの側面ソラセシーブ６ａ、６ｂがビーム１２ａに水平方向に並んで取り付けられているので側面ソラセシーブ６ａ、６ｂの配置を調節することにより、巻き上げ機１のメインシーブ１３の径、および側面ソラセシーブ６の径を変更する必要がない。このため、かご室４の奥行方向のサイズ仕様によらず各部品を共通化させることができる。
【００１３】
次に図３により第２の実施の形態の変形例について説明する。ここで図３はエレベータの構成図である。図２において、２つの側面ソラセシーブ６ａ、６ｂを１つのビーム１２ａに水平方向に並んで取り付けられた例を示したが、かご用レール２とカウンタウェイト用レール１１との間に一対のビーム１２ａ、１２ｂを設け、２つの側面ソラセシーブ６ｃ、６ｄをそれぞれビーム１２ａ、１２ｂに取り付け、２つのビーム１２ａ，１２ｂに取り付けられた側面ソラセシーブ６ｃ、６ｄを鉛直方向に対して傾斜して設けてもよい。
図３に示す変形例によれば、巻き上げ機１から背面ソラセシーブ７までの水平距離Ｘが側面ソラセシーブ６ｃ、６ｄの１個分の径よりも大きく、側面ソラセシーブ６ｃ、６ｄの２個分の径よりも小さい場合でも、巻き上げ機１に取り付けられたメインシーブ１３の径、および側面ソラセシーブ６の径を変更せずに対応することができ、かご室４の奥行方向のサイズ仕様によらず各部品を共通化させることができる。
【００１４】
以上説明したように第２の実施の形態によれば、かご室４の奥行方向のサイズ仕様によらず、巻き上げ機１に取り付けられたメインシーブ１３の径、および側面ソラセシーブ６の径を変更せずに使用することができる。
【００１５】
第３の実施の形態
次に図４により本発明の第３の実施の形態について説明する。ここで図４はエレベータの構成図である。
図４に示す第３の実施の形態は、２つのカウンタウェイトシーブ８ａ、８ｂをカウンタウェイト３の幅方向にカウンタウェイト３に設けたものであり、他は図１に示す第１の実施の形態と略同一である。図４において、図１に示す第１の実施の形態と同一部分には同一符号を付して詳細な説明は省略する。
【００１６】
図４において、かご室４のサイズが間口方向に伸びた場合、２つのカウンタウェイトシーブ８ａ、８ｂがカウンタウェイト３の幅方向に設けられているので、背面ソラセシーブ７の径を大きくすることなく、２つのカウンタウェイトシーブ８ａ、８ｂの幅方向の配置を調節することで対応することができる。また、カウンタウェイト３の幅方向の寸法をかご室４の間口サイズ内で自由に設定することも可能となるため、必要重量のカウンタウェイト３に対応するカウンタウェイト３の幅の大きさにかかわらず共通のカウンタウェイトシーブ８を使用することができる。
【００１７】
以上説明したように第３の実施の形態によれば、カウンタウェイト３の幅方向の大きさかかわらず、背面ソラセシーブ７の径を大きくせずに２つのカウンタウェイトシーブ８ａ、８ｂの配置を調節することで対応することができ、また共通のカウンタウェイトシーブ８を使用することができる。
【００１８】
【発明の効果】
以上説明したように、本発明によれば、巻き上げ機とカウンタウェイトとを干渉させ合うことなく必要重量のカウンタウェイトを積み込むことができる。また巻き上げ機をかご用レールの最上部に取り付けるので、エレベータが浸水した場合の冠水対応の低下、およびロープ自体およびロープ振れ止め機構の追加による経済性の低下、という問題もない。
【図面の簡単な説明】
【図１】本発明によるエレベータの第１の実施の形態を示す構成図
【図２】本発明によるエレベータの第２の実施の形態を示す構成図
【図３】本発明によるエレベータの第２の実施の形態の変形例を示す構成図
【図４】本発明によるエレベータの第３の実施の形態を示す構成図
【図５】従来のエレベータを示す構成図
【図６】従来の他のエレベータを示す構成図
【図７】従来の更に他のエレベータを示す構成図
【符号の説明】
１  巻き上げ機
２  かご用レール
３  カウンタウェイト
４  かご室
５  カウンタウェイト側ヒッチ
６  側面ソラセシーブ
６ａ  側面ソラセシーブ
６ｂ  側面ソラセシーブ
６ｃ  側面ソラセシーブ
６ｄ  側面ソラセシーブ
７  背面ソラセシーブ
８  カウンタウェイトシーブ
８ａ  カウンタウェイトシーブ
８ｂ  カウンタウェイトシーブ
９  かご側ヒッチ
１０  かご下シーブ
１０ａ  かご下シーブ
１０ｂ  かご下シーブ
１１  カウンタウェイト用レール
１２  ビーム
１２ａ  ビーム
１２ｂ  ビーム
１２ｃ  ビーム
１３  メインシーブ
３０  ロープ
３１  制御盤
３２  カードア
３３  固定部材
３４  固定部材
３５  梁
３６  関連装置
３７  転向プーリ
３８  転向プーリ
３９  案内レール装置
４０  昇降路
４０ａ  昇降路壁
【図１】
0004849712.tif 000002
【図２】
0004849712.tif 000003
【図３】
0004849712.tif 000004
【図４】
0004849712.tif 000005
【図５】
0004849712.tif 000006
【図６】
0004849712.tif 000007
【図７】
0004849712.tif 000008